(57)【要約】【課題】より魚にアピールするルアーの提供。【解決手段】本発明に係るルアー２は、本体４と、本体４の後端側に回動可能に取り付けられた連結体１４と、連結体１４の後端側に回動可能に取り付けられた翼１６とを備えている。連結体１４の回転軸は、その前端と後端との間において翼１６の回転軸よりも前端側に位置している。翼１６の回転軸は、この翼１６の流力中心よりも後端側に位置している。このルアー２は、連結体１４に対する翼１６の過剰な回動を阻止するためのストップ機能を備えている。連結体１４が、その回転軸より前端側に、前方を向く面４４を備える受け部４０を備えている。本体４が前方に移動したとき、翼１６が回動し、この翼１６が圧力を受けることで、連結体１４が翼１６の回動方向とは逆回りに回動し、受け部４０の面が上記本体４から突出しうる。【選択図】図１
2020043822.tif 000002
【特許請求の範囲】
【請求項１】
本体と、
上記本体の後端側に回動可能に取り付けられた前後方向に延びる連結体と、
上記連結体の後端側に回動可能に取り付けられた前後方向に延びる翼とを備え、
上記連結体の回転軸が、その前端と後端との間において上記翼の回転軸よりも前端側に位置しており、
上記翼の回転軸が、この翼の流力中心よりも後端側に位置しており、
上記連結体に対する翼の過剰な回動を阻止するためのストップ機能を備えており、
上記連結体が、その回転軸より前端側に、前方を向く面を備える受け部を備えており、
上記本体が前方に移動したとき、上記翼が回動し、この翼が圧力を受けることで、上記連結体がこの翼の回動方向とは逆回りに回動し、上記受け部の面が上記本体から突出しうるルアー。
【請求項２】
上記連結体が、上板部と、下板部と、この上板部と下板部とを接続する中央軸部と、この上板部と下板部とを接続する後軸部とをさらに備えており、
上記中央軸部が、上記本体に回動可能に取り付けられており、
上記翼が、上記上板部と上記下板部との間において、上記後軸部に回動可能に取り付けられており、
上記上板部又は下板部に、上記受け部が固定されている請求項１に記載のルアー。
【請求項３】
上記本体が、胴部と、この胴部の後端側に回動可能に取り付けられた前後方向に延びる尾部とを備え、
上記連結体が、上記尾部に取り付けられている請求項１又は２に記載のルアー。
【請求項４】
上記尾部が、上尾部と、下尾部と、この上尾部と下尾部とを接続する前軸部とを備えており、
上記前軸部が、回動可能に上記胴部に取り付けられており、
上記上板部又は下板部が、上記上尾部と下尾部との間において前方に延びており、この前端側に上記受け部が固定されている請求項３に記載のルアー。
【請求項５】
上記本体の内部に、その前端から後方に向けて流体が流れうる経路を備える請求項１から４のいずれかに記載のルアー。
【請求項６】
本体と、
上記本体の後端側に回動可能に取り付けられた前後方向に延びる連結体と、
上記連結体の後端側に回動可能に取り付けられた前後方向に延びる翼とを備え、
上記連結体の回転軸が、その前端と後端との間において上記翼の回転軸よりも前端側に位置しており、
上記翼の回転軸が、この翼の流力中心よりも後端側に位置しており、
上記連結体に対する翼の過剰な回動を阻止するためのストップ機能を備えており、
上記連結体が、その回転軸より前端側に、前方を向く面を備える受け部を備えており、
上記本体が前方に移動したとき、上記翼が回動し、この翼が圧力を受けることで、上記連結体が、この翼の回動方向とは逆回りに回動し、上記受け部の面が上記本体から突出しうる連結体及び翼の揺動機構。
【請求項７】
上記本体が、胴部と、この胴部の後端側に回動可能に取り付けられた前後方向に延びる尾部とを備え、
上記連結体が、上記尾部に取り付けられている請求項６に記載の連結体及び翼の揺動機構。
【発明の詳細な説明】
【技術分野】
【０００１】
本発明は、ルアーに関する。
【背景技術】
【０００２】
ルアーフィッシングでは、魚に疑似されたルアーが用いられる。ルアーは、キャストされることにより空中を飛行し、やがて着水する。ラインが巻かれることで、ルアーは水中を泳ぐ。このルアーをベイトと勘違いした魚は、ルアーに食いつく。このルアーを自らの縄張りに侵入した敵とみなした魚は、ルアーに攻撃をしかける。ルアーに取り付けられたフックが魚に刺さり、魚が釣り上げられる。魚がルアーにかかる頻度は、ヒット率と称される。
【０００３】
ヒット率を上げるため、ルアーには様々な工夫がされている。例えば、特開２００７−０６１０７０公報で開示されたルアーでは、その後端側に翼が設けられている。この翼がはためくように動くことで、魚の注意が惹きつけられる。翼の揺動により生じる水流によっても魚の興味が惹きつけられる。
【先行技術文献】
【特許文献】
【０００４】
【特許文献１】特開２００７−０６１０７０公報
【発明の概要】
【発明が解決しようとする課題】
【０００５】
ヒット率を上げるために、より魚にアピールするルアーが求められている。
【０００６】
本発明の目的は、より魚にアピールするルアーの提供にある。
【課題を解決するための手段】
【０００７】
本発明に係るルアーは、本体と、上記本体の後端側に回動可能に取り付けられた前後方向に延びる連結体と、上記連結体の後端側に回動可能に取り付けられた前後方向に延びる翼とを備えている。上記連結体の回転軸は、その前端と後端との間において上記翼の回転軸よりも前端側に位置している。上記翼の回転軸は、この翼の流力中心よりも後端側に位置している。このルアーは、上記連結体に対する翼の過剰な回動を阻止するためのストップ機能を備えている。上記連結体が、その回転軸より前端側に、前方を向く面を備える受け部を備えている。上記本体が前方に移動したとき、上記翼が回動し、この翼が圧力を受けることで、上記連結体がこの翼の回動方向とは逆回りに回動し、上記受け部の面が上記本体から突出しうる。
【０００８】
好ましくは、上記連結体は、上板部と、下板部と、この上板部と下板部とを接続する中央軸部と、この上板部と下板部とを接続する後軸部とをさらに備えており、上記中央軸部は上記本体に回動可能に取り付けられており、上記翼は上記上板部と上記下板部との間において、上記後軸部に回動可能に取り付けられており、上記上板部又は下板部に、上記受け部が固定されている。
【０００９】
好ましくは、上記本体は、胴部と、この胴部の後端側に回動可能に取り付けられた前後方向に延びる尾部とを備え、上記連結体は、上記尾部に取り付けられている。
【００１０】
好ましくは、上記尾部は、上尾部と、下尾部と、この上尾部と下尾部とを接続する前軸部とを備えており、上記前軸部は回動可能に上記胴部に取り付けられており、上記上板部又は下板部は上記上尾部と下尾部との間において前方に延びており、この前端側に上記受け部が固定されている。
【００１１】
好ましくは、このルアーは、上記本体の内部に、その前端から後方に向けて流体が流れうる経路を備える。
【００１２】
本発明に係る連結体と翼の揺動機構は、本体と、上記本体の後端側に回動可能に取り付けられた前後方向に延びる連結体と、上記連結体の後端側に回動可能に取り付けられた前後方向に延びる翼とを備える。上記連結体の回転軸は、その前端と後端との間において上記翼の回転軸よりも前端側に位置している。上記翼の回転軸は、この翼の流力中心よりも後端側に位置している。この揺動機構は、上記連結体に対する翼の過剰な回動を阻止するためのストップ機能を備えている。上記連結体は、その回転軸より前端側に、前方を向く面を備える受け部を備えている。上記本体が前方に移動したとき、上記翼が回動し、この翼が圧力を受けることで、上記連結体が、この翼の回動方向とは逆回りに回動し、上記受け部の面が上記本体から突出しうる。
【００１３】
好ましくは、上記本体は、胴部と、この胴部の後端側に回動可能に取り付けられた前後方向に延びる尾部とを備え、上記連結体は、上記尾部に取り付けられている。
【発明の効果】
【００１４】
本発明に係るルアーでは、翼の回転軸が流力中心より後端側に位置していることに起因して、翼は、その側面に流体の流れによる圧力が負荷されたとき、ストップ機能により回動が停止されるまで、連結体に対して回動する。翼の側面が圧力を受け、連結体は翼の回動方向とは逆回りに回動する。連結体の受け部の面が本体から突出することに起因して、翼の圧力を受ける側面がこれまでの反対側となるまで、連結体は回動する。翼は、連結体に対して、これまでと逆回りに回動し、連結体もこれまでと逆回りに回動する。この動作が繰り返され、連結体及び翼は、なめらかに大きく揺動する。この動きは、魚が泳ぐときの動きに似ている。この動きにより視覚的に魚の注意が十分惹きつけられる。この揺動により生じる水流によっても魚の興味が惹きつけられる。このルアーは、魚に効果的にアピールする
【図面の簡単な説明】
【００１５】
【図１】図１は、本発明の一実施形態に係るルアーが示された斜視図である。
【図２】図２は、図１のルアーが示された側面図である。
【図３】図３は、図１のルアーが示された平面図である。
【図４】図４は、図１のルアーの一部が示された平面図である。
【図５】図５Ａ−図５Ｈは、図１のルアーが泳ぐときの、図４の部分の動きが時系列で示された平面図である。
【図６】図６は、本発明の他の実施形態に係るルアーが示された側面図である。
【発明を実施するための形態】
【００１６】
以下、適宜図面が参照されつつ、好ましい実施形態に基づいて本発明が詳細に説明される。
【００１７】
図１は、本発明の一実施形態に係るルアー２が示された斜視図であり、図２は図１のルアー２の側面図であり、図３は図１のルアー２の平面図である。図１の矢印Ｘが示す方向がこのルアー２の前方とされ、この逆の方向が後方とされる。矢印Ｙが示す方向が右方向とされ、この逆の方向が左方向とされる。矢印Ｚが示す方向が上方向とされ、この逆の方向が下方向とされる。図２−３及び後述する図４−５についても、矢印Ｘ、Ｙ及びＺは、同じ意味を表す。図３及び図４−５において、一点鎖線ＣＬは、このルアー２の中心線を表す。このルアー２は、本体４、胸びれ６、背びれ８、腹びれ１０、鼻カン１２、連結体１４、翼１６及び尾びれ１８を備えている。なお、図２及び３では、本体４、連結体１４及び翼１６は中心線ＣＬに沿って延びる姿勢となっているが、図１では、後述する本体４の尾部、連結体１４及び翼１６は、いずれも中心線ＣＬに対して傾斜している。
【００１８】
この実施形態のルアー２は、鮎の友釣り用である。図１には、鮎の友釣りでこのルアー２と共に使用される仕掛けとして、ライン３１、逆さ針４７及びイカリ針４９も示されている。
【００１９】
本体４は、前後方向に延びる。本体４は、魚に類似の外形を有する。本体４の外面には、目、口、エラ等が描かれている。典型的には、本体４は合成樹脂組成物から形成されている。本体４が、エラストマーのような軟質な材料から形成されてもよい。この実施形態では、本体４は、胴部２０と尾部２２とを備えている。
【００２０】
胴部２０には、胸びれ６、背びれ８及び腹びれ１０が取り付けられている。胴部２０の後端部分には、取付穴が設けられている。図２で示されるように、この取付穴に尾部２２の前端部分が入り込んでいる。後方の腹びれ１０は、逆さ針４７を取り付けるための孔２１を備えている。
【００２１】
図１及び２で示されるように、尾部２２は、上尾部２４、下尾部２６、中板部２８及び前軸部３０を備える。上尾部２４及び下尾部２６は、それぞれ前後方向に延びている。上尾部２４及び下尾部２６は、並列している。中板部２８は、上尾部２４と下尾部２６との間において、上尾部２４に固定されている。中板部２８と下尾部２６との間には、隙間が設けられている。前軸部３０は、上尾部２４及び下尾部２６の前端側に位置する。前軸部３０は、上尾部２４と下尾部２６とを接続している。前軸部３０は、胴部２０の取付穴に入り込んでいる。前軸部３０は、回動可能に胴部２０に取り付けられている。図２及び３において、一点鎖線Ａ１はこの前軸部３０の回転軸を表す。回転軸Ａ１は、上下方向に延びる。尾部２２は、回転軸Ａ１の周りに回動可能に胴部２０に取り付けられている。図示されないが、取付穴の内部において、前軸部３０の側面が取付穴の側壁と当接することで、尾部２２の過剰な回動が阻止されている。
【００２２】
鼻カン１２は、本体４の前端部に位置する。鼻カン１２は、ライン３１を取り付ける孔を形成する。鼻カン１２は、金属線が曲げられて形成されている。鼻カン１２は、本体４に堅固に固定されている。
【００２３】
連結体１４は、本体４の後端側に取り付けられている。連結体１４は、尾部２２に取り付けられている。連結体１４の前側部分は、上尾部２４と下尾部２６との間に位置している。図１及び２に示されるように、連結体１４は、上板部３２、下板部３４、中央軸部３６、後軸部３８及び受け部４０を備えている。
【００２４】
上板部３２及び下板部３４は、それぞれ前後方向に延びている。上板部３２及び下板部３４は、並列している。この実施形態では、下板部３４の前端は、上板部３２の前端より前方に位置している。下板部３４は、上板部３２より前方に突出している。下板部３４は、上尾部２４と下尾部２６との間において、前方に延びている。下板部３４の前端が、連結体１４の前端である。図３に示されるように、上板部３２はその後端に、一対のアーム４２を備えている。上板部３２は、後方に向けて右側に傾斜して延びる右アーム４２ａと、後方に向けて左側に傾斜して延びる左アーム４２ｂとを備えている。
【００２５】
中央軸部３６は、連結体１４の前端と後端との間に位置している。中央軸部３６は、上板部３２の前端側に位置している。中央軸部３６は、上板部３２と下板部３４との間で上下に延びている。中央軸部３６は、上板部３２と下板部３４とを接続する。中央軸部３６は、回動可能に尾部２２に取り付けられている。図２及び３において、一点鎖線Ａ２はこの中央軸部３６の回転軸を表す。回転軸Ａ２は、連結体１４の前端と後端との間に位置している。回転軸Ａ２は、上下方向に延びる。連結体１４は、回転軸Ａ２の周りに回動可能に本体４に取り付けられている。
【００２６】
後軸部３８は、連結体１４の後端側に位置している。後軸部３８は、中央軸部３６より後方に位置している。後軸部３８は、上板部３２と下板部３４との間で、上下に延びている。後軸部３８は、上板部３２と下板部３４とを接続する。
【００２７】
受け部４０は、回転軸Ａ２より前端側に位置している。この実施形態では、受け部４０は、下板部３４の前端側に位置している。受け部４０は、下板部３４に固定されている。受け部４０は、水受け面４４を備えている。水受け面４４は、前方を向いている。
【００２８】
翼１６は、上板部３２と下板部３４との間において、前後方向に延びている。翼１６は、連結体１４の後端側に取り付けられている。翼１６は、連結体１４の後軸部３８に、回動可能に取り付けられている。図２及び３において、一点鎖線Ａ３はこの翼１６の回転軸を表す。回転軸Ａ３は、上下方向に延びる。翼１６は、回転軸Ａ３の周りに回動可能に連結体１４に取り付けられている。
【００２９】
図４は、図１のルアー２のうち、尾部２２、連結体１４及び翼１６のみが示された平面図である。この図では、尾部２２については、上尾部２４のみが見えている。この図では、連結体１４は尾部２２に対して傾斜しており、翼１６は連結体１４に対して傾斜している。図２及び４の一点鎖線Ｍは、翼１６の流力中心を表す。すなわち、流力中心Ｍを回転軸とし、この翼１６に均一な力が負荷された場合、翼１６の力のモーメントは釣り合う。図２及び４で示されるように、翼１６の回転軸Ａ３は、流力中心Ｍよりも後端側に位置している。
【００３０】
図２及び４に示されるように、翼１６はその後端側に、後方に向けて上方に傾斜して延びるストッパー４６を備えている。ストッパー４６は、連結体１４の右アーム４２ａと左アーム４２ｂの間にまで延びる。図４に示されるように、翼１６が連結体１４に対して前端が左方向に向かう方向（反時計回り）に回動したとき、ストッパー４６は右アーム４２ａと当接する。翼１６は、これ以上この方向に回動できない。翼１６が連結体１４に対して前端が右方向に向かう方向（時計回り）に回動したとき、ストッパー４６は左アーム４２ｂと当接する。翼１６は、これ以上この方向に回動できない。ストッパー４６と一対のアーム４２とで、翼１６の過剰な回動を阻止するためのストップ機能が実現されている。
【００３１】
尾びれ１８は、連結体１４から後方に延びている。尾びれ１８は、連結体１４の後軸部３８に、回動可能に取り付けられている。尾びれ１８は、回転軸Ａ３の周りに回動可能に連結体１４に取り付けられている。
【００３２】
図１に示されるように、このルアー２を鮎の友釣りで使用する際には、釣り竿からのライン３１が、鼻カン１２に取り付けられる。ライン３１は鼻カン１２から後方に延び、逆さ針４７と繋がる。逆さ針４７の先端が、後側の腹びれ１０の孔２１に通されて、逆さ針４７が腹びれ１０に固定される。逆さ針４７の後端からは、さらにライン３１が後方に延び、その後端にイカリ針４９が取り付けられる。
【００３３】
以下では、このルアー２の動きが説明される。
【００３４】
このルアー２では、釣り人がライン３１を引くことで、ルアー２は前方に移動する。ルアー２が前方に移動を開始すると、翼１６が前後方向に延びる姿勢となっている場合でも、水流の乱れ等で翼１６は回動し、翼１６の側面４８には水圧が負荷される。このルアー２では、翼１６の回転軸Ａ３は、流力中心Ｍより後端側に位置している。このため、このときの前端側の力のモーメントは、後端側の力のモーメントよりも大きい。前方から後方に流れる水流により、翼１６は、前端が後を向くようにさらに回動する。翼１６は、ストッパー４６が左アーム４２ｂ又は右アーム４２ａに当接するまで回動する。図４では、翼１６は反時計回りに回動し、ストッパー４６が右アーム４２ａに当接した状態となっている。
【００３５】
以下では、図４の状態からルアー２がさらに前方に移動するときの、尾部２２、連結体１４及び翼１６の動きが説明される。図５Ａ−５Ｈには、このときの尾部２２、連結体１４及び翼１６の動きが、時系列で示されている。図４及び図５Ａ−５Ｈにおいて、矢印Ｆは、ルアー２に対する水流の方向を表す。ルアー２は前方に移動しているため、水は前から後へ流れる。
【００３６】
図４の状態では、翼１６の右側面に水流が衝突する。翼１６の右側面４８ａに、水圧が負荷される。翼１６には左方向への力が働く。ストッパー４６が右アーム４２ａに当接しているため、翼１６は、連結体１４に対して動かない。この翼１６への力により、連結体１４にその後端側が左方向に向かう方向に力が負荷される。連結体１４は、翼１６の回動方向とは逆回り（時計回り）に回動する。これに伴い、尾部２２も時計回りに回動する。
【００３７】
図５Ａには、図４の状態から、連結体１４及び尾部２２が時計回りに回動した状態が示されている。この状態では、水流は図４の状態と同様に翼１６の右側面４８ａに衝突している。このため、翼１６には左方向への力が働く。さらに尾部２２及び連結体１４が時計回りに回動する。この回動の間、翼１６は連結体１４に対して動かない。
【００３８】
図５Ｂには、図５Ａの状態から、連結体１４及び尾部２２がさらに時計回りに回動した状態が示されている。この状態では、翼１６の延びる方向は、水流の方向Ｆとほぼ同じとなる。この状態では、翼１６の側面４８には水圧はほとんど負荷されない。図５Ｂに示されるように、この状態では、連結体１４の受け部４０が、尾部２２から右側に突出する。受け部４０の水受け面４４が、本体４から右側に突出する。この水受け面４４に水流が衝突することにより、水受け面４４には下方向への力が働く。水受け面４４には、連結体１４を時計回りさせる方向に、力が働く。連結体１４はさらに時計回りに回動する。
【００３９】
図５Ｃには、図５Ｂの状態から、連結体１４がさらに時計回りに回動した状態が示されている。この状態では、水流は翼１６の左側面４８ｂに衝突している。図５Ａの状態とは、水流が衝突する翼１６の側面４８が変化している。この水流により、翼１６には、時計回りの方向に力が負荷される。翼１６は、連結体１４に対して時計回りに回動する。翼１６は、連結体１４に対して、これまでとは逆回りに回動する。
【００４０】
図５Ｄには、図５Ｃの状態から、翼１６が時計回りに回動した状態が示されている。ストッパー４６が左アーム４２ｂに当接することで、翼１６の回動が停止している。この状態では、翼１６の左側面４８ｂに水流が衝突する。翼１６の左側面４８ｂに、水圧が負荷される。翼１６には右方向への力が働く。ストッパー４６が左アーム４２ｂに当接しているため、翼１６の連結体１４に対する動きはない。翼１６への力により、連結体１４にその後端側が右方向に向かう方向に力が負荷される。連結体１４には、反時計回りの方向に力が負荷される。前述のとおり、連結体１４には水受け面４４への力により、時計回りの力が負荷されている。この連結体１４では、翼１６への力によるモーメントは、水受け面４４への力によるモーメントより大きくなるように、これらの大きさや回転軸の位置が決められている。このため、連結体１４は、反時計回りに回動する。これに伴い、尾部２２も反時計回りに回動する。
【００４１】
図５Ｅには、図５Ｄの状態から、連結体１４及び尾部２２が反時計回りに回動した状態が示されている。この状態では、水流は翼１６の左側面４８ｂに衝突している。このため、翼１６には右方向への力が働く。さらに尾部２２及び連結体１４が反時計回りに回動する。この回動の間、翼１６は連結体１４に対して動かない。
【００４２】
図５Ｆには、図５Ｅの状態から、連結体１４及び尾部２２がさらに反時計回りに回動した状態が示されている。この状態では、翼１６の延びる方向は、水流の方向Ｆとほぼ同じとなる。この状態では、翼１６の側面４８には水圧はほとんど負荷されない。図５Ｆに示されるように、この状態では、連結体１４の受け部４０が、尾部２２から左側に突出する。受け部４０の水受け面４４が、本体４から突出する。この水受け面４４に水流が衝突する。これにより、水受け面４４には下方向への力が働く。水受け面４４には、連結体１４を反時計回りさせる方向に、力が働く。これにより、連結体１４はさらに反時計回りに回動する。
【００４３】
図５Ｇには、図５Ｆの状態から、連結体１４がさらに反時計回りに回動した状態が示されている。この状態では、水流は翼１６の右側面４８ａに衝突している。図５Ｅの状態とは、水流が衝突する翼１６の側面４８が変化している。この水流により、翼１６には、反時計回りの方向に力が負荷される。翼１６は、連結体１４に対して反時計回りに回動する。翼１６は、連結体１４に対して、これまでとは逆回りに回動する。
【００４４】
図５Ｈには、図５Ｇの状態から、翼１６が反時計回りに回動した状態が示されている。ストッパー４６が右アーム４２ａに当接することで、翼１６の回動が停止している。この状態では、翼１６の右側面４８ａに水流が衝突する。これにより、翼１６には左方向への力が働く。ストッパー４６が右アーム４２ａに当接しているため、翼１６の連結体１４に対する動きはない。翼１６への力により、連結体１４に時計回りの方向に力が負荷される。前述のとおり、連結体１４には水受け面４４への力により、反時計回りの力が負荷されている。翼１６への力によるモーメントは、水受け面４４への力によるモーメントより大きいため、連結体１４は、時計回りに回動する。これに伴い、尾部２２も時計回りに回動する。これにより、図４で示された状態に戻る。
【００４５】
上記のとおり、ルアー２が前方に移動したとき、翼１６、連結体１４及び尾部２２は、図４及び図５Ａ−Ｈで示された動作を繰り返す。翼１６が時計回りと反時計回りの回動を繰り返し、この翼１６に負荷される力により、連結体１４及び尾部２２は、反時計回りと時計回りの回動を繰り返す。連結体１４及び尾部２２は、左右に揺動する。図示されないが、連結体１４の後端側に回動可能に取り付けられた尾びれ１８も、この揺動に伴い左右に揺動する。このルアー２では、ルアー２が前方に移動したとき、尾部２２及び尾部２２より後側が左右に揺動する。
【００４６】
以下、本発明の作用効果が説明される。
【００４７】
本発明に係るルアー２では、翼１６の回転軸が流力中心Ｍより後端側に位置している。このため、翼１６の側面４８が水圧を受けたとき、前端側の力のモーメントは後端側の力のモーメントより大きい。前方から後方に向かう水流により、翼１６の前端は、後ろを向くように回動する。翼１６は、ストッパー４６が左アーム４２ｂ又は右アーム４２ａと当接するまで回動する。翼１６のこの側面４８がさらに水圧を受け、連結体１４は、翼１６と一体となって翼１６の回動方向とは逆回りに回動する。このルアー２では、翼１６及び連結体１４をなめらかに回動させることができる。
【００４８】
このルアー２では、連結体１４は、水受け面４４が本体４から突出するまで回動する。翼１６が前後方向に延びる姿勢となり、その側面にほとんど水圧が負荷されなくなっても、この水受け面４４が水圧を受ける。これにより、連結体１４はさらに回動する。水圧を受ける翼１６の側面４８が、これまでとは反対となる。翼１６は、連結体１４に対して、これまでと逆回りに回動する。翼１６は、ストッパー４６がこれまでとは異なるアーム４２と当接するまで、回動する。翼１６の側面４８がさらに水圧を受け、連結体１４は、これまでとは逆回りに回動する。ルアー２が前方に移動したとき、この動作が繰り返され、連結体１４及び翼１６は、なめらかに大きく揺動する。この動きは、魚が泳ぐときの動きに似ている。この動きにより視覚的に魚の注意が十分惹きつけられる。この揺動により生じる水流によっても魚の興味が惹きつけられる。このルアー２は、魚に効果的にアピールする。
【００４９】
前述のとおり、本体４は胴部２０と胴部２０の後端側に回動可能に取り付けられた尾部２２とを備え、連結体１４は尾部２２に取り付けられているのが好ましい。このようにすることで、連結体１４が回動したとき、尾部２２も同じ方向に回動する。このルアー２では、尾部２２及び尾部２２より後ろ側が大きく揺動する。このルアー２の動きは、魚が泳ぐときの動きにより近くなる。このルアー２は、より効果的に魚にアピールする。
【００５０】
図６は、本発明の他の実施形態に係るルアー５０が示された側面図である。図６の矢印Ｘが示す方向がこのルアー５０の前方とされ、この逆の方向が後方とされる。矢印Ｚが示す方向が上方向とされ、この逆の方向が下方向とされる。紙面と垂直な方向が左右方向である。このルアー５０は、本体５２、連結体５４、翼５６及びラインアイ５７を備えている。図示されないが、このルアー５０は、胸びれ、背びれ、腹びれ、尾びれ及びフックアイをさらに備えている。このルアー５０は、鮎の友釣り用である。
【００５１】
本体５２は、前後方向に延びる。本体５２は、魚に類似の外形を有する。典型的には、本体５２は合成樹脂組成物から形成されている。本体５２が、エラストマーのような軟質な材料から形成されてもよい。この実施形態では、本体５２は、胴部５８と尾部６０とを備えている。
【００５２】
尾部６０は、胴部５８の後端から後方に延びている。尾部６０は、上尾部６２と下尾部６４と中板部６６とを備えている。上尾部６２及び下尾部６４は、それぞれ前後方向に延びている。上尾部６２及び下尾部６４は、並列している。中板部６６は、上尾部６２及び下尾部６４との間で前後方向に延びている。上尾部６２及び下尾部６４は、中板部６６よりも後方まで延びている。上尾部６２、下尾部６４及び中板部６６は、胴部５８に固定されている。
【００５３】
連結体５４は、本体５２の後端側に取り付けられている。連結体５４は、尾部６０に取り付けられている。連結体５４の前側部分は、上尾部６２と下尾部６４との間に位置している。連結体５４は、上板部６８、下板部７０、中央軸部７２、後軸部及び一対の受け部７４を備えている。
【００５４】
上板部６８及び下板部７０は、それぞれ前後方向に延びている。上板部６８及び下板部７０は、並列している。図示されないが、上板部６８はその後端に、一対のアームを備えている。上板部６８は、後方に向けて右側に傾斜して延びる右アームと、後方に向けて左側に傾斜して延びる左アームとを備えている。
【００５５】
中央軸部７２は、連結体５４の前端と後端との間に位置している。中央軸部７２は、上板部６８と下板部７０との間で上下に延びている。中央軸部７２は、上板部６８と下板部７０とを接続する。中央軸部７２は、回動可能に尾部６０に取り付けられている。図６において、一点鎖線Ａ２はこの中央軸部７２の回転軸を表す。回転軸Ａ２は、連結体５４の前端と後端との間に位置している。回転軸Ａ２は、上下方向に延びる。連結体５４は、回転軸Ａ２の周りに回動可能に本体５２に取り付けられている。
【００５６】
図６では翼５６に隠れて見えていないが、後軸部は、連結体５４の後端側に位置している。後軸部は、中央軸部７２より後方に位置している。後軸部は、上板部６８と下板部７０との間で上下に延びている。後軸部は、上板部６８と下板部７０とを接続する。
【００５７】
一対の受け部７４は、回転軸Ａ２より前端側に位置している。この実施形態では、一方の受け部７４が下板部７０の前端側に固定され、他方の受け部７４が上板部６８の前端側に固定されている。それぞれの受け部７４は、水受け面７６を備えている。水受け面７６は、前方を向いている。
【００５８】
翼５６は、上板部６８と下板部７０との間において、前後方向に延びている。翼５６は、連結体５４の後端側に取り付けられている。翼５６は、連結体５４の後軸部に、回動可能に取り付けられている。図６において、一点鎖線Ａ３はこの翼５６の回転軸を表す。回転軸Ａ３は、上下方向に延びる。翼５６は、回転軸Ａ３の周りに回動可能に連結体５４に取り付けられている。図６の符号Ｍは、翼５６の流力中心を表す。図６で示されるように、翼５６の回転軸Ａ３は、流力中心Ｍよりも後端側に位置している。
【００５９】
図示されないが、翼５６はその後端部側に、連結体５４の右アームと左アームの間にまで延びるストッパーを備えている。平面視において翼５６が連結体５４に対して反時計回りに回動したとき、ストッパーは右アームと当接する。翼５６が連結体５４に対して時計回りに回動したとき、ストッパーは左アームと当接する。ストッパーと一対のアームとで、翼５６の過剰な回動を阻止するためのストップ機能が実現されている。
【００６０】
図示されないフックアイは、フックを取り付けるための孔を形成する。フックアイは、金属線が曲げられて形成されている。フックアイは、胴部５８に堅固に固定されている。釣りをするとき、フックがフックアイに掛けられる。フックは、フックアイに可動に取り付けられる。ラインアイ５７にアシストフックを取り付ける構成としてもよい。
【００６１】
このルアー５０では、釣り人がラインアイ５７に結ばれたラインを引くことにより、ルアー５０は前方に移動する。ルアー５０が前方に移動を開始すると、翼５６が前後方向に延びる姿勢となっている場合でも、水流の乱れ等で翼５６は回動し、翼５６の側面７８には水圧が負荷される。このルアー５０では、翼５６の回転軸Ａ３は、流力中心Ｍより後端側に位置している。このため、このときの前端側の力のモーメントは、後端側の力のモーメントよりも大きい。前方から後方に流れる水流により、翼５６は、前端が後を向くようにさらに回動する。翼５６は、ストッパーが左アーム又は右アームに当接するまで回動する。
【００６２】
図示されないが、以下では、翼５６のストッパーが右アームに当接した状態（反時計回りに回動した状態）から、ルアー５０がさらに前方に移動するときの、連結体５４及び翼５６の動きが説明される。連結体５４及び翼５６の動きは、前述の、図５Ａ−５Ｈで説明された連結体１４及び翼１６の動きと同様である。尾部６０が胴部５８に固定されている点が、図５Ａ−５Ｈでのルアー２の動きと異なる。
【００６３】
翼５６が反時計回りに回動した状態では、翼５６の右側面に水流が衝突する。翼５６の右側面に、水圧が負荷される。この翼５６への力により、連結体５４は、翼５６の回動方向とは逆回り（時計回り）に回動する。
【００６４】
連結体５４が回動し、翼５６の延びる方向は、水流の方向とほぼ同じとなる。この状態では、翼５６の側面７８には水圧はほとんど負荷されない。この状態では、連結体５４の一対の受け部７４が、尾部６０から右側に突出する。これらの受け部７４の水受け面７６に水流が衝突することにより、連結体５４に時計回りの方向に力が負荷される。これにより、連結体５４はさらに時計回りに回動する。
【００６５】
連結体５４が回動することで、水流が衝突する翼５６の側面７８が変化し、水流が翼５６の左側面７８ｂに衝突する状態となる。この水力により、翼５６には、時計回りの方向に、力が負荷される。翼５６は、時計回りに回動する。翼５６は、連結体５４に対して、これまでとは逆回りに回動する。
【００６６】
翼５６が時計回りに回動し、ストッパーが左アームに当接する。この状態では、翼５６の左側面７８ｂに水圧が負荷される。翼５６への力により、連結体５４に反時計回りの方向に力が負荷される。前述のとおり、連結体５４には水受け面７６への力により、時計回りの方向に力が負荷されている。この連結体５４では、翼５６への力によるモーメントは、水受け面７６への力によるモーメントより大きくなるように、これらの大きさや回転軸の位置が決められている。このため、連結体５４は、反時計回りに回動する。連結体５４は、これまでとは逆回りに回動する。
【００６７】
連結体５４が反時計回りに回動し、翼５６の延びる方向は、水流の方向とほぼ同じとなる。この状態では、翼５６の側面７８には水圧はほとんど負荷されない。この状態では、連結体５４の一対の受け部７４が、尾部６０から左側に突出する。これらの受け部７４の水受け面７６に水流が衝突することにより、連結体５４に反時計回りの方向に力が負荷される。これにより、連結体５４はさらに反時計回りに回動する。
【００６８】
連結体５４が回動することで、水流が衝突する翼５６の面が変化し、水流は翼５６の右側面に衝突した状態となる。この水力により、翼５６には、反時計回りの方向に、力が負荷される。翼５６は、反時計回りに回動する。翼５６は、連結体５４に対して、これまでとは逆回りに回動する。
【００６９】
翼５６が反時計回りに回動し、ストッパーが右アームに当接する。この状態では、翼５６の右側面に水圧が負荷される。翼５６への力により、連結体５４に時計回りの方向に力が負荷される。連結体５４には水受け面７６への力により、反時計回りの方向に力が負荷されている。このルアー５０では、翼５６への力によるモーメントは、水受け面７６への力によるモーメントより大きいため、連結体５４は、時計回りに回動する。連結体５４は、これまでとは逆回りに回動する。
【００７０】
上記のとおり、ルアー５０が前方に移動したとき、翼５６が時計回りと反時計回りの回動を繰り返し、この翼５６に負荷される力により、連結体５４は反時計回りと時計回りの回動を繰り返す。翼５６及び連結体５４は、左右に揺動する。
【００７１】
本発明に係るルアー５０では、翼５６の回転軸が流力中心Ｍより後端側に位置している。このため、翼５６の側面７８が水圧を受けたとき、前端側の力のモーメントは後端側の力のモーメントより大きい。前方から後方に向かう水流により、翼５６の前端は、後ろを向くように回動する。翼５６は、ストッパーが左アーム又は右アームと当接するまで回動する。翼５６のこの側面がさらに水圧を受け、連結体５４は、翼５６と一体となって翼５６の回動方向とは逆回りに回動する。このルアー５０では、翼５６及び連結体５４をなめらかに回動させることができる。
【００７２】
このルアー５０では、連結体５４は、水受け面７６が本体５２から突出するまで回動する。翼５６が前後方向に延びる姿勢となり、その側面７８にほとんど水圧が負荷されなくなっても、この水受け面７６が水圧を受ける。これにより、連結体５４はさらに回動する。水圧を受ける翼５６の側面７８が、これまでとは反対となる。翼５６は、連結体５４に対して、これまでと逆回りに回動する。翼５６は、ストッパーがこれまでとは異なるアームと当接するまで、回動する。翼５６の側面７８がさらに水圧を受け、連結体５４は、これまでとは逆回りに回動する。ルアー５０が前方に移動したとき、この動作が繰り返され、連結体５４及び翼５６は、なめらかに大きく揺動する。この動きは、魚が泳ぐときの動きに似ている。この動きにより視覚的に魚の注意が十分惹きつけられる。この揺動により生じる水流によっても魚の興味が惹きつけられる。このルアー５０は、魚に効果的にアピールする。
【００７３】
図示されないが、本発明のさらに他の実施形態に係るルアーは、本体、胸びれ、背びれ、腹びれ、鼻カン、連結体、翼及び尾びれを備えている。本体は、胴部と尾部とを備えている。このルアーは、胴部を除いて、図１のルアー２と同じである。
【００７４】
このルアーの胴部は、その内部を前端から後端まで貫通する、水流孔を備えている。すなわち、この本体は、内部に前端から後方に向けて水が流れうる経路を有する。
【００７５】
このルアーでは、本体が前方に進んだとき、連結体及び翼は、なめらかに大きく揺動する。さらにこのルアーでは、本体が前方に進んだとき、水が胴部の前端から水流孔に流入し、胴部の後端において水流孔から抜ける。水が胴部の内部を流れることで、胴部の上下左右への動きが抑えられる。このルアーでは、胴部の部分が揺れることなく直進しつつ、尾部及び尾部より後方が左右に大きく揺動する。このルアーの動きは、魚が泳ぐときの動きにより近くなる。この動きにより視覚的に魚の注意が十分惹きつけられる。この揺動により生じる水流によっても魚の興味が惹きつけられる。このルアーは、より効果的に魚にアピールする。
【００７６】
上記の実施形態では、鮎の友釣り用のルアーが示された。本発明の用途は、鮎の友釣り用のルアーに限られない。この発明が、魚を補食するフィッシュイーターを釣るためのルアーに適用されてもよい。
【００７７】
上記の本体、連結体及び翼の構成は、これを流体中で前進させたときの、連結体及び翼の揺動機構を構成する。この揺動機構の適用分野は、ルアーに限られない。例えば、子供用の玩具にこれを適用することができる。子供がこの玩具を水中や空気中で移動させたとき、この玩具の連結体及び翼が揺動する。これは、子供に効果的にアピールする。この揺動機構が、他の分野に適用されもよい。
【００７８】
以上記載されたとおり、このルアーは、魚に効果的にアピールする。このことから、本発明の優位性は明らかである。
【産業上の利用可能性】
【００７９】
本発明は、種々のルアーに適用されうる。本発明は、翼を有する子供の玩具等ルアー以外の分野での揺動機構としても適用されうる。
【符号の説明】
【００８０】
２、５０・・・ルアー
４、５２・・・本体
６・・・胸びれ
８・・・背びれ
１０・・・腹びれ
１２・・・アイ
１４、５４・・・連結体
１６、５６・・・翼
１８・・・尾びれ
２０、５８・・・胴部
２２、６０・・・尾部
２４、６２・・・上尾部
２６、６４・・・下尾部
２８、６６・・・中板部
３０・・・前軸部
３１・・・ライン
３２、６８・・・上板部
３４、７０・・・下板部
３６、７２・・・中軸部
３８・・・後軸部
４０、７４・・・受け部
４２・・・アーム
４２ａ・・・右アーム
４２ｂ・・・左アーム
４４、７６・・・水受け面
４６・・・ストッパー
４７・・・逆さ針
４８、７８・・・翼の側面
４８ａ・・・翼の右側面
４８ｂ、７８ｂ・・・翼の左側面
４９・・・イカリ針
【図１】
2020043822.tif 000003
【図２】
2020043822.tif 000004
【図３】
2020043822.tif 000005
【図４】
2020043822.tif 000006
【図５Ａ】
2020043822.tif 000007
【図５Ｂ】
2020043822.tif 000008
【図５Ｃ】
2020043822.tif 000009
【図５Ｄ】
2020043822.tif 000010
【図５Ｅ】
2020043822.tif 000011
【図５Ｆ】
2020043822.tif 000012
【図５Ｇ】
2020043822.tif 000013
【図５Ｈ】
2020043822.tif 000014
【図６】
2020043822.tif 000015